(57)【要約】  本発明は、街路照明ポール（１）に関し、街路照明ポール（１）は、街路照明ポールの囲まれた空間（１０）を画定する少なくとも１つの直立外壁部分（２）と、囲まれた空間の少なくとも一部を少なくとも２つの実質的に垂直に配置されるベイに分割する、実質的に垂直に配置されるディバイダ（１１）であって、少なくとも２つのベイは、第１のベイ（１２）及び第２のベイ（１４）を含む、ディバイダと、囲まれた空間への空間エアインレット（１６）であって、直立外壁部分の下部に配置される、空間エアインレットと、囲まれた空間からの空間エアアウトレット（１８）であって、直立外壁部分の上部に配置される、空間エアアウトレットと、ディバイダの下部に配置される少なくとも２つのベイの各々のためのそれぞれの個別エアインレット（２２、２３）と、ディバイダの上部に配置される少なくとも２つのベイの各々のためのそれぞれの個別エアアウトレット（２４、２５）とを含む。少なくとも２つのそれぞれの個別エアインレット及び少なくとも２つのそれぞれの個別エアアウトレットは、少なくとも２つのベイを冷却するため少なくとも２つのベイの各々に別々のエアフロー（２６、２７）を提供し、街路照明ポールの少なくとも２つのベイの各々における気候を個別に制御することを可能にする。
2021528829.tif 000002
【特許請求の範囲】
【請求項１】
街路照明ポールであって、
当該街路照明ポールの囲まれた空間を画定する少なくとも１つの直立外壁部分と、
長さを有し、空間エアインレットと空間エアアウトレットとの間で長さ軸に沿って該長さで延在し、前記囲まれた空間の少なくとも一部を少なくとも２つの実質的に垂直に配置されるベイに分割する、実質的に垂直に配置されるディバイダであって、前記少なくとも２つのベイは、第１のベイ及び第２のベイを含む、ディバイダと、
前記囲まれた空間への前記空間エアインレットであって、前記直立外壁部分の下部に配置される、空間エアインレットと、
前記囲まれた空間からの前記空間エアアウトレットであって、前記直立外壁部分の上部に配置される、空間エアアウトレットと、
前記ディバイダの下部において前記空間エアインレットに近接して配置される前記少なくとも２つのベイの各々のためのそれぞれの個別エアインレットと、
前記ディバイダの上部において前記空間エアアウトレットに近接して配置される前記少なくとも２つのベイの各々のためのそれぞれの個別エアアウトレットと、
を含み、
少なくとも２つの前記それぞれの個別エアインレット及び少なくとも２つの前記それぞれの個別エアアウトレットは、前記少なくとも２つのベイを冷却するため前記少なくとも２つのベイの各々に別々のエアフローを提供する、街路照明ポール。
【請求項２】
前記それぞれの個別エアインレットと前記それぞれの個別エアアウトレットとの間のシーリング長さにわたる前記ディバイダは、互いに関して実質的に気密に前記少なくとも２つのベイを分割する、請求項１に記載の街路照明ポール。
【請求項３】
前記ディバイダは、実質的に気密のＨ字形ベース構造体である、請求項２に記載の街路照明ポール。
【請求項４】
前記ディバイダは、実質的に気密の垂直内壁である、請求項２に記載の街路照明ポール。
【請求項５】
前記ディバイダは、当該街路照明ポールの垂直ベース構造体又は内壁に取り付け可能な実質的に気密のインサートである、請求項２に記載の街路照明ポール。
【請求項６】
当該街路照明ポールは、前記少なくとも２つのベイのうちの少なくとも１つを冷却するように構成される少なくとも１つの強制冷却源を含む、請求項１乃至５のいずれか一項に記載の街路照明ポール。
【請求項７】
前記少なくとも１つの強制冷却源は、ファンである、請求項６に記載の街路照明ポール。
【請求項８】
前記少なくとも１つの強制冷却源は、液体冷却ユニットを含む、請求項６に記載の街路照明ポール。
【請求項９】
少なくとも１つの前記冷却源は、前記個別エアインレット及び前記個別エアアウトレットのいずれかに配置され、又は２つの強制冷却源を有する場合、前記少なくとも２つのベイのいずれかに対して前記個別エアインレット及び前記個別エアアウトレットの両方に配置される、請求項６乃至８のいずれか一項に記載の街路照明ポール。
【請求項１０】
前記少なくとも２つのベイは、前記少なくとも２つのベイの各々を個別に冷却するためのそれぞれの個別強制冷却源を備える、請求項６乃至９のいずれか一項に記載の街路照明ポール。
【請求項１１】
前記空間エアインレット及び前記空間エアアウトレットの各々は、前記直立外壁部分の周に沿って配置される、請求項１乃至１０のいずれか一項に記載の街路照明ポール。
【請求項１２】
前記空間エアインレット及び前記空間エアアウトレットの各々は、前記直立外壁部分のそれぞれのメッシュ状の周方向部分によって構成される、請求項１１に記載の街路照明ポール。
【請求項１３】
前記囲まれた空間は、当該街路照明ポールのベース内に含まれる、請求項１乃至１２のいずれか一項に記載の街路照明ポール。
【請求項１４】
前記少なくとも２つのベイの各々は、互いに個別にアクセス可能である、請求項１乃至１３のいずれか一項に記載の街路照明ポール。
【発明の詳細な説明】
【技術分野】
【０００１】
本発明は、通信機器を保持するように構成される街路照明ポール(street lighting pole)に関する。
【背景技術】
【０００２】
最近の街路照明ポールは、街路照明ポールも無線通信機能を得るように、電気通信機器（無線機(radio)、アンテナ、ケーブル）を含むように修正されている。機器は、公衆の視界からそれを目立たなくすることを目的として、ライトポール(light pole)の外面内に組み込まれる。これは、テレコムスマートポール(telecom smart pole)、又はスマートポールと呼ばれることがある。
【０００３】
セルラーデータトラフィックの増加が予想される中、モバイルネットワーク事業者は、顧客に最高のモバイルブロードバンドカバレッジ及びキャパシティを提供するために公共エリアに新たなセル用地を獲得するのに苦労している。スマートポールにスペースを借りることで、安全に照らされる街路とより良いスマートフォンのデータキャパシティとの両方を市民が享受し得るようにネットワークを高密度化することができる。
【０００４】
しかしながら、モバイルデータ伝送の必要性は非常に急速に高まっており、単一の通信無線機及びアンテナの容量には限界があるため、（ａ）より高い無線スループット(radio throughput)を有する無線機を使用する及び（ｂ）無線スペクトルの異なる部分で通信するより多くの無線機を追加する必要性がある。その結果、スマートポールにより多くの無線機を含めることも必要である。
【０００５】
しかしながら、スマートポールにより多くの無線機を含めることは、ポールの熱負荷の増大につながる。これは、機器の過熱に起因する問題を生じさせる可能性がある。現在利用可能なスマートポールで発生する可能性のあるとりわけ悩ましい問題は、過熱のために１つの機器が故障する場合、該過熱は、ポール内に配置される別の機器の誤動作につながるということである。影響を受けた機器がさらに別のオペレータのものである場合、責任問題が発生する可能性が高い。
【発明の概要】
【発明が解決しようとする課題】
【０００６】
本発明の目的は、前述の問題点を克服し、改良された街路照明ポールを提供することにある。
【課題を解決するための手段】
【０００７】
本発明の第１の態様によれば、この及び他の目的は、街路照明ポールであって、街路照明ポールの囲まれた空間(enclosed space)を画定する少なくとも１つの直立外壁部分と、長さを有し、空間エアインレット(space air inlet)と空間エアアウトレット(space air outlet)との間で長さ軸に沿って該長さで延在し、囲まれた空間の少なくとも一部を少なくとも２つの実質的に垂直に配置されるベイに分割する、実質的に垂直に配置されるディバイダ(divider)であって、少なくとも２つのベイは、第１のベイ及び第２のベイを含む、ディバイダとを含む街路照明ポールによって達成される。街路照明ポールはさらに、囲まれた空間への空間エアインレットであって、直立外壁部分の下部に配置される、空間エアインレットと、囲まれた空間からの空間エアアウトレットであって、直立外壁部分の上部に配置される、空間エアアウトレットと、ディバイダの下部において空間エアインレットに近接して配置される少なくとも２つのベイの各々のためのそれぞれの個別エアインレット(respective individual air inlet)と、ディバイダの上部において空間エアアウトレットに近接して配置される少なくとも２つのベイの各々のためのそれぞれの個別エアアウトレット(respective individual air outlet)とを含む。少なくとも２つのそれぞれの個別エアインレット及び少なくとも２つのそれぞれの個別エアアウトレットは、少なくとも２つのベイを冷却するため少なくとも２つのベイの各々に別々のエアフローを提供する。
【０００８】
この文脈において近接(proximate)とは、空間エアインレットと個別エアインレットとの間の距離が、ポールの下部の直径以下であることを意味し、例えば、空間エアインレット及び個別エアインレットは、直径の半分（又は半径）の距離で相互に間隔を空けられる、又は互いに隣接することができる。上記と同様のことが、空間エアアウトレット及び個別エアアウトレットの相互距離にも当てはまる。
【０００９】
空間エアインレットと空間エアアウトレットにより、囲まれた空間内を空気が流れるようになっている。このようなエアフローは、囲まれた空間の冷却を提供し、斯くして、囲まれた空間に取り付けられ得る通信機器の冷却を提供する。囲まれた空間に２つ以上の無線機が取り付けられる場合、例えば、ある機器の過熱は、囲まれた空間に位置付けられる他の機器に悪影響を及ぼす可能性があるため、囲まれた空間の単一の一般的な冷却を提供することは、非効率的である可能性がある。本発明は、上述したディバイダを設けることにより、囲まれた空間の少なくとも一部を少なくとも２つのベイに分割し、少なくとも２つのそれぞれの個別エアインレット及びアウトレットと共に、各ベイへの及び各ベイを通る別々のエアフローが許容されるという理解に基づいている。空間エアインレット及び個別エアインレットの相互に近接した位置付け(positioning)により、２つのベイ間での空気の交換のリスク性が打ち消される。これは、空間エアアウトレット及び個別エアアウトレットにも同様に当てはまる。各ベイは、熱負荷に対する抵抗が相互に大きく異なり得る、それぞれの特定の電子機器を収容し得るので、このような空気の交換は望ましくない。空気交換を介して熱抵抗の少ない第２の電子デバイスに輸送されるであろう第１の電子デバイスによって発生される熱は、前記第２の電子デバイスに有害である可能性がある。差別化機能(differentiating feature)によって、このリスクは打ち消される。ディバイダは、ディバイダ及び街路照明ポールの直立外壁部分とによって画定される少なくとも２つのベイの間のエアフローのための障壁(barrier)として機能する。これにより、第１のベイの個別エアインレット及び個別エアアウトレットによって許容されるエアフローは、第１のベイに位置付けられる機器を冷却し、一般的に第２のベイの機器は冷却せず、一方、第２のベイの個別エアインレット及び個別エアアウトレットによって許容されるエアフローは、第２のベイに位置付けられる機器を冷却し、一般的に第１のベイの機器は冷却しない。これにより、独立したエアフロー、斯くして、独立した気候(climate)が、少なくとも２つのベイの各々において許容される。その結果、一方のベイで発生する、機器の過熱等の問題は、他方のベイの気候に影響を与えない。斯くして、通信機器を保持するための専用のポールを取り付ける必要性を低減することができる、通信機器を含む多機能なライトポールが提供される。このような街路照明ポールは同時に、データネットワークの改善及び安全に街路を照らすことに貢献する。
【００１０】
街路照明ポールの一実施形態によれば、少なくとも２つのベイは、互いに実質的に気密である。そのために、典形的には、ディバイダは、シーリング長さ(sealing length)を有し、このシーリング長さにわたって、又はその少なくとも７０％、例えば９０％にわたって、すなわち、それぞれの個別エアインレットとそれぞれの個別エアアウトレットとの間において、ディバイダは、互いに関して実質的に気密に前記少なくとも２つのベイを仕切る。これは、第１のベイに流れる空気は実質的に第２のベイに流入せず、一方、第２のベイに流れる空気は実質的に第１のベイに流入しないことを意味する。一般に、ベイのエアフローは、１つのベイの２０％を超えないエアフローが他のベイに入ることができない場合に、分離されていると考えられ、効率的な個別の冷却を提供することができる。好ましくは、例えば第１のベイの１０％を超えないエアフローが第２のベイに入ることができず、その逆でもあり得る。
【００１１】
街路照明ポールの一実施形態によれば、ディバイダは、実質的に気密のＨ字形ベース構造体である。Ｈ字形ベース構造体は、ステムがクロスバーによって接続されることにより形成されることができ、直立外壁部分に対してステムの端部が密閉接続(sealing connection)し、これにより、街路照明ポールの垂直方向にベイ及び囲まれた空間を密閉するように寸法付けられる。Ｈ字形状は、強度要件、機器を収容する可能性、及び機器へのアクセスの容易さを満たす比較的良好なプロファイルを提供する。しかしながら、Ｔ字形状、Ｙ字形状及びＵ字形状等、ディバイダの他の形状も、本発明の一部となり得る。気密であるこのような構造体は、少なくとも２つのベイの間に実質的に気密のディバイダを設けるための追加のシーリング要素を必要としない。
【００１２】
街路照明ポールの一実施形態によれば、ディバイダは、実質的に気密の垂直内壁である。気密の垂直壁は、囲まれた空間を２つに分割するので、囲まれた空間内の空間の最大限の使用を可能にする。このような内壁の端部部分は、ベイに気密性を提供するために直立外壁部分の内側に対して密閉的に(sealingly)に配置される。
【００１３】
街路照明ポールの一実施形態によれば、ディバイダは、街路照明ポールの垂直ベース構造体又は内壁に取り付け可能な実質的に気密のインサート(insert)である。これにより、実質的に気密なディバイダを提供するために、非気密の垂直ベース構造体若しくは内壁、又は他の支持構造体含む街路照明ポールを採用することができる。気密インサートを提供することによるさらなる利点は、ディバイダの気密性を損なうことなく、例えば、街路照明ポールの軽量化のために、垂直ベース構造体又は内壁の材料が、構造的完全性のために必要とされない場所において省かれることを可能にすることである。このような気密インサートは、プラスチック、セラミック又は金属材料の気密シート又はフィルムを含んでもよい。低い熱伝導率を有する材料のインサートを設けることは、一方のベイからの熱がインサートを通ってディバイダの他方のベイに伝導されない、又は遅い速度で伝導されるので、少なくとも２つのベイの独立した気候制御をさらに高めるであろう。
【００１４】
街路照明ポールの一実施形態によれば、街路照明ポールはさらに、少なくとも２つのベイのうちの少なくとも１つを冷却するように構成される少なくとも１つの強制冷却源を含む。これにより、第１及び／又は第２のベイ、並びに街路照明ポール内に配置される可能性のある他のベイの冷却能力を増加させることができ、斯くして、そこに取り付けられる任意の通信機器の冷却能力を増加させることができる。少なくとも２つのベイのいずれか又は各々のために強制冷却源を使用することにより、そこに配置される任意の通信機器の冷却が、対流及び／又は伝導によって増加されることができる。
【００１５】
街路照明ポールの一実施形態によれば、少なくとも１つの強制冷却源は、ファンである。このようなファンは、少なくとも２つのベイのいずれかに、より高い速度で、且つ増加した乱流で空気を強制的に流入させ、それによって、少なくとも対流によって、そこに配置される任意の通信機器の冷却を増加させる。
【００１６】
街路照明ポールの一実施形態によれば、少なくとも１つの強制冷却源は、液体冷却ユニットを含む。液体冷却ユニットは、ベイからの熱の輸送のために、それによって、そこに取り付けられる任意の通信機器を冷却するために、ベイを通って、例えば冷却フィンによって、外気で冷却され得るエリアまで延在するように配置される、冷水等の冷却液体を含む冷却要素として具現化されることができる。
【００１７】
街路照明ポールの一実施形態によれば、少なくとも１つの冷却源は、個別エアインレット及び個別エアアウトレットのいずれかに配置され、又は２つの強制冷却源を有する場合、少なくとも２つのベイのいずれかに対して個別エアインレット及び個別エアアウトレットの両方に配置される。斯くして、任意の強制冷却源の配置は、特定の街路照明ポールの要件及びそこに取り付けられる任意の通信機器の配置に適合されることができる。少なくとも２つのベイのいずれかに対して個別エアインレット又は個別エアアウトレットに強制冷却源を配置することは、ベイを通るエアフローを増加させ、それによってベイの冷却を増加させることを提供する。個別エアインレット及び個別エアアウトレットの両方に強制冷却源を設けることは、ベイの大幅な冷却が必要とされる場合に有利であり得る。
【００１８】
街路照明ポールの一実施形態によれば、少なくとも２つのベイは、少なくとも２つのベイの各々を個別に冷却するためのそれぞれの個別強制冷却源を備える。これにより、少なくとも２つのベイの各々の冷却は、典形的にはそこに取り付けられる通信機器の性質及び数に依存して、その冷却に関する要件に適合されることができる。
【００１９】
街路照明ポールの一実施形態によれば、空間エアインレット及び空間エアアウトレットの各々は、直立外壁部分の周に沿って配置される。空間エアインレット及び空間エアアウトレットの各々は、直立外壁の周の一部に沿って、又は直立外壁の全周に沿って延在する開口部として具現化されてもよい。斯くして直立外壁の全周に沿って延在するリング状の空間エアインレット及び空間エアアウトレットを設けることにより、それぞれ、空間エアインレット及び空間エアアウトレットを流れる空気の出入りを良好に分配することができ、囲まれた空間内にホットゾーンが発生することを回避することができる。
【００２０】
街路照明ポールの一実施形態によれば、空間エアインレット及び空間エアアウトレットの各々は、直立外壁部分のそれぞれのメッシュ状の周方向部分によって構成される。メッシュ状の周部は、昆虫等の動物が囲まれた空間に入るのを防ぐ。また、破壊行為のための障害物を提供し、囲まれた空間内に物が堆積されるのを防止する。これは、昆虫や物体の存在が、囲まれた空間を通るエアフローに悪影響を与える可能性があり、斯くして、そこに位置付けられる機器の機能に悪影響を与える可能性があるので、有利である。
【００２１】
街路照明ポールの一実施形態によれば、少なくとも２つのベイの各々は、互いに個別にアクセス可能である。個別にアクセス可能なベイは、オペレータが第２のベイの機能に影響を与えることなく、例えば第１のベイでメンテナンス又は修理作業を行う可能性を提供する。個別のアクセスポイントは、好ましくは、直立外壁部分にディバイダの両側に相互に対向して配置され、相対する側から少なくとも２つのベイ及びそこに位置付けられる機器へのアクセスを容易にする。個別のアクセスポイントは、直立外壁部分に設けられるドア要素として具現化されることができ、閉じた状態において、破壊行為に対抗し、密閉された気密の囲まれた空間を提供するために直立外壁部分と面一であることが好ましい。代替的に、ドア要素は、完全な直立外壁部分として具現化されることができる。
【００２２】
街路照明ポールの一実施形態によれば、囲まれた空間は、街路照明ポールのベース内に含まれる。街路照明ポールのベースは、一般的に、街路照明ポールの上部又は中間部分よりも大きく、それにより、より多くの空間が、任意の通信機器の位置付けのために利用可能である。このような機器は、機器にアクセスするオペレータが街路照明ポールに登る必要がなく、地上からメンテナンスや補修作業を行うことができるため、街路照明ポールのベースに設けられる場合さらに容易にアクセスが可能である。
【００２３】
本発明は、特許請求の範囲に列挙されている特徴のすべての可能な組み合わせに関する。
【図面の簡単な説明】
【００２４】
本発明のこの及び他の態様が、本発明の実施形態を示す添付の図面を参照して、より詳細に述べられる。
【図１ａ】図１ａは、本発明の一実施形態による街路照明ポールの斜視図である。
【図１ｂ】図１ｂは、本発明の一実施形態による街路照明ポールの囲まれた空間の概略切断斜視図である。
【図２】図２は、図１ｂの本発明の一実施形態による街路照明ポールの囲まれた空間の概略断面上面図である。
【図３】図３は、本発明の一実施形態による街路照明ポールの囲まれた空間の概略切断斜視図である。
【図４】図４は、本発明の一実施形態による街路照明ポールの斜視図である。
【発明を実施するための形態】
【００２５】
図に示されているように、レイヤ及び領域のサイズは、例示の目的で誇張されている場合があり、斯くして、本発明の実施形態の一般的な構造を例示するために提供されている。同様の参照数字は、全体を通して同様の要素を指す。
【００２６】
本発明は、本発明の現在好ましい実施形態が示されている添付図面を参照して、以下にさらに完全に述べられる。しかしながら、本発明は、多くの異なる形態で実施されてもよく、本明細書で述べられている実施形態に限定されると解釈されるべきではない。むしろ、これらの実施形態は、徹底性及び完全性のために提供されており、本開示の範囲を当業者に完全に伝える。本発明は、典形的には、図面に示されているように、その通常の向きを参照して述べられる。
【００２７】
図１ａ〜ｂを参照すると、街路照明ポール１の軸方向、この場合は重力の垂直方向に長さ軸５に沿って延在する直立外壁部分２と、中空コアを有する管状体４とを有する細長い街路照明ポール１が提供される。管状体４及び直立外壁部分２は、ここでは各々丸い筒状又は管状の壁として具現化されているが、多角柱等、任意の筒状の形状であってもよい。直立外壁部分２は、ポールベースとも呼ばれる、街路照明ポール１の下部６において囲まれた空間１０を画定する。しかしながら、囲まれた空間１０は、中間部分等、街路照明ポールの別の部分の直立外壁部分によって定義されてもよい。
【００２８】
街路照明ポール１はさらに、街路照明ポール１の軸方向に延在する実質的に垂直に配置されるディバイダ１１を含む。ディバイダ１１は、ここでは、囲まれた空間１０を実質的に垂直に配置される第１のベイ１２及び第２のベイ１４に分割するために、囲まれた空間１０内で中央に配置されている。また、囲まれた空間１０を３つ以上のベイに分割するための複数のディバイダ１１を設けるように、ディバイダ１１を囲まれた空間１０内の非中央位置に配置することも考えられる。ディバイダ１１は、例えば、スチール、アルミニウム、又はプラスチック材料で作られることができる。ディバイダ１１は、実質的に密閉接続で、囲まれた空間１０を画定する、直立外壁部分２の内部に当接するように配置される、横方向の端部部分１３、１５を含む。必要に応じて、ゴム、プラスチック又は発泡体材料等のシールが、密閉接続を確実にするために、ディバイダ１１の横方向の端部１３、１５と直立外壁部２との間に導入されることができる。この実施形態に示されるディバイダ１１は、街路照明ポール１の構造的要素を構成する、Ｈ字形のベース構造体である。斯くして、Ｈ字形ベース構造体の横方向の端部１３、１５は、直立外壁部分２の内側と密閉接続状態にある（図２参照）。Ｈ字形ベース構造体１１では、横方向の端部１３、１５は、ステムによって構成され、ステム１３、１５の間に延びるクロスビーム１９がさらに設けられ、Ｈ字形状を完成させている。ステム１３、１５は、ここでは、直立外壁部分２の管状の一部を追従するように放射状に(radially)曲げられている。これは、必要な機械的安定性を提供する一方、街路照明ポールのサイズ、とりわけ、直径Ｄを制限することを可能にする（図２参照）。ステム１３、１５は、直立外壁部分２に対してしっかりと配置され、これらの間の空間は、例えば、ゴム、プラスチック、発泡体等のシール８を配置することによって密閉されている。ディバイダ１１の横方向の端部１３、１５と囲まれた空間１０を画定する直立外壁部分２との間の密閉接続を達成するための他の方法も考えられ、例えば溶接や、効率的であれば、直立外壁部分２とディバイダ１１を一体で直接製造することも可能である。ステム１３、１５及びクロスビーム１９は、ここでは、第１のベイ１２から第２のベイ１４への空気の通過を遮断する又はその逆でもあるように実質的に気密である。ディバイダは、上部１１ａ及び下部１１ｂを有する。Ｈ字形ベース構造体のクロスビーム１９の軸方向の延在は、ステム１３，１５の軸方向の延在ほど大きくなく、これにより、ディバイダ１１の上部１１ａ及び下部１１ｂに軸方向の凹部(recess)リセスが形成されている。
【００２９】
第１のベイ１２及び第２のベイ１４は、街路照明ポール１の軸方向に延在するように配置され、そこに通信機器７を保持するための少なくとも１つの取付構造（図示せず）を含む。このような取付構造は、例えば、ホールパターン及び／又はブラケットであり得る。この例示的な実施形態における第１のベイ１２及び第２のベイ１４は各々、通信機器７を保持するための１つの取付構造を含むが、第１のベイ１２及び第２のベイ１４のいずれか又は両方が２つ以上の通信機器７を保持できるように、各ベイに２つ以上の取付構造を配置することも可能である。第１のベイ１２及び第２のベイ１４は、直立外壁部分２に設けられるそれぞれの第１及び第２のドアエレメント２８によって互いに個別にアクセス可能である。開位置にある第１のドア要素２８は、第１のベイ１２へのアクセスを提供する。開位置にある第２のドア要素（図示せず）は、第２のベイ１４へのアクセスを提供する。閉位置では、第１及び第２のドア要素２８は、直立外壁部分２と面一になり、実質的に気密な閉鎖を提供する。図１ａでは、ドア要素２８は、完全な、丸い半筒状として具現化されているが、代替的に、直立外壁部分２の形状にマッチする筒状形状の任意の部分であってもよい。例えば、ドア要素は、多角形の筒状形状の複数の面、例えば、六角形の筒状形状の３つの面又は不規則な八角形の筒状形状の４つの面を包含してもよい。
【００３０】
街路照明ポール１はさらに、街路照明ポール１の外部から第１のベイ１２及び第２のベイ１４に空気を供給するために、囲まれた空間１０への空間エアインレット１６（図１ｂ参照）を含む。空間エアインレット１６は、直立外壁部分２の下部で、その周方向部分に配置されている。斯くして、空間エアインレットは、環状に形成されてもよい。囲まれた空間１０からの空間エアアウトレット１８が、直立外壁部分２の上部に設けられている。空間エアインレット１６とともに、空間エアアウトレット１８は、囲まれた空間１０内のエアフローを可能にする。ここで、空間エアアウトレット１８は、直立外壁部分２の周方向部分に配置されている。しかしながら、空間エアインレット１６及び空間エアアウトレット１８の両方は、直立外壁部分２の非周方向部分として具現化されてもよい。空間エアインレット及び空間エアアウトレットの位置は、このような実施形態では、空気が街路照明ポール１の外側から個別エアインレットに向かって流入し、それぞれの個別エアアウトレットから、さらに空間エアアウトレットを通って街路照明ポール１の外側に流出することを可能にするように配置される。代替的に、２つ以上の空間エアインレットが、直立外壁部分２の異なる部分に、その下部、好ましくはディバイダ１１の異なる側に配置されることができる。同様に、２つ以上の空間エアアウトレットが、直立外壁部分２の異なる部分に、その上部付近、好ましくはディバイダ１１の異なる側に配置されることができる。空間エアインレット１６及び空間エアアウトレット１８の両方は、直立外壁部分２のそれぞれのメッシュ状の部分（図４参照）として設けられることができる。これは、昆虫及び他の動物等の外体(external body)が囲まれた空間１０に入るのを防ぐ。
【００３１】
図１ｂに続いて、囲まれた空間１０及びディバイダ１１は、下部１１ｂ及びディバイダ１１の異なる側において、第１のベイ１２及び第２のベイ１４へのそれぞれの第１の個別エアインレット２２及び第２の個別エアインレット２３を形成する。斯くして、第１の個別エアインレット２２及び第２の個別エアインレット２３は、空間エアインレット１６と流体的に連通しており、空間エアインレット１６からの空気が第１のベイ１２及び第２のベイ１４にそれぞれ排他的に供給されることを可能にする。図３に示されるように、空間エアインレット１６は、街路照明ポールの下部６のほぼ半径又は半分の直径である距離Ｓで、個別エアインレット２２、２３から離間している。この距離Ｓは、空間エアアウトレット１８と個別エアアウトレット２４、２５との間の距離にも同様に当てはまる。３つ以上のベイが設けられる場合、ベイの各々のために個別エアインレットが設けられる。これに対応して、ディバイダ１１の上部１１ａにおいて、囲まれた空間１０及びディバイダ１１は、第１のベイ１２及び第２のベイ１４の各々からのそれぞれの第１の個別エアアウトレット２４及び第２の個別エアアウトレット２５を形成する。第１及び第２の個別エアアウトレット２４、２５は、空間エアアウトレット１８と流体的に連通している。個別エアインレットに関して示されるように、囲まれた空間１０に３つ以上のベイが設けられる場合、ベイの各々からの個別エアアウトレットが設けられる。第１の個別エアインレット２２及び個別エアアウトレット２４は、第１のベイ１２内に個別エアフローを可能にし、第２の個別エアインレット２３及び個別エアアウトレット２５は、第２のベイ１４内に個別エアフローを可能にする。第１の個別エアインレット２２を介して第１のベイ１２に入り、第１の個別エアアウトレット２４を介して出る空気は、第１のエアフロー２６と呼ばれることができる。第２の個別エアインレット２３を介して第２のベイ１４に入り、第２の個別エアアウトレット２５を介して出る空気は、第２のエアフロー２７と呼ばれることができる。実質的に気密のディバイダ１１と、ディバイダ１１及び囲まれた空間１０を画定する直立外壁２との間の密閉接続により、第１のエアフロー２６と第２のエアフロー２７とは互いに分離される。
【００３２】
個別エアインレット２２、２３及びアウトレット２４、２５の大きさは、各ベイ、ここでは第１及び第２のベイ１２、１４に取り付けられる通信機器の性質及び数に対して、そこを通って効果的なエアフローを提供し、結果として、そこに取り付けられる通信機器の効果的な冷却を提供するために適合されることができる。
【００３３】
動作時、空気は、街路照明ポール１の外側から空間エアインレット１６を介して囲まれた空間１０内に入る。ここで、ディバイダ１１及び個別エアインレット２２、２３は、空気を分流し、第１及び第２のエアフロー２６、２７を形成する。斯くして、第１のエアフロー２６は、第１の個別エアインレット２２から第１のベイ１２を介して上方に流れ、第１の個別エアアウトレット２４を介して出ることが許容され、それにより、第１のベイ１２に取り付けられる任意の機器を冷却する。第２のエアフロー２７は、第２の個別エアインレット２３から第２のベイ１４を介して上方に流れ、第２の個別エアアウトレット２５を介して出ることが許容され、それにより、第２のベイ１４に取り付けられる任意の機器を冷却する。それぞれの個別エアアウトレット２４、２５を通って第１及び第２のベイ１２、１４を出る空気は、空間エアアウトレット１８を介して街路照明ポールを出ることができる。
【００３４】
別々のエアフロー２６、２７をさらに制御するために、図３を参照すると、強制冷却源３０が、第１のベイ１２及び第２のベイ１４に配置される任意の通信機器の冷却能力の増大を達成するために設けられることができる。図３の実施形態では、強制冷却源３０は、第２の個別エアインレット２３に設けられている。強制冷却源３０は、第１の個別エアインレット２２に設けられてもよい。代替的に、強制冷却源３０は、第１及び第２の個別エアアウトレット２４、２５に配置されることができる。第３の代替例として、大きな冷却能力が必要とされる場合、強制冷却源３０は、第１のベイ１２及び第２のベイ１４のいずれか又は両方の個別エアインレット２２、２３及びアウトレット２４、２５の両方に配置されることができる。強制冷却源はまた、第１のベイ１２及び第２のベイ１４のいずれか一方の内部に設けられてもよく、例えば、そこに配置される通信機器に一体的に取り付けられる強制冷却源として具現化されてもよい。ここで、強制冷却源３０は、空間エアインレット１６からの空気を強制的に第２のベイ１４に流入させるような第２の個別エアインレット２３に配置されるファンである。しかしながら、他の任意の強制冷却源、例えば液体冷却源も、本発明の概念内で考えられる。
【００３５】
動作時、空気は、街路照明ポール１の外側から空間エアインレット１６を介して来る。ディバイダ１１は、長さ軸５に沿った長さＬを有し、空間エアインレット１６と空間エアアウトレット１８との間に延在し、第１及び第２の個別エアインレット２２、２３は、ここで空気を分流し、第１及び第２のエアフロー２６、２７を形成することを可能にする。ディバイダは、シーリング長さＬ'を有し、それぞれの個別エアインレット及びそれぞれの個別エアアウトレットの間で、該ディバイダは、自身のシーリング長さにわたって、互いに関して実質的に気密に少なくとも２つのベイ（１２、１４）を仕切る又は分離する。これは、シール長さＬ'の範囲内では、第１のベイと第２のベイの間で空気の交換が実質的にないことを意味する。図３では、シーリング長さＬ'は、個別エアインレット２２、２３から個別エアアウトレット２４、２５まで延在しているが、代替的に、シーリング長さＬ'は、図示のシーリング長さＬ'の少なくとも７０％だけ、例えば少なくとも９０％だけにわたって延在してもよい。第１のエアフロー２６は、第１の個別エアインレット２２から第１のベイ１２を介して上方に流れ、第１の個別エアアウトレット２４を介して出ることにより、第１のベイ１２に取り付けられる任意の機器を冷却する。第２の個別エアインレット２３では、ファン３０が、空気を第２のベイ１４に強制的に流入させ、これにより、第２のエアフロー２７は、第１のエアフロー２６よりも高い速度で第２のベイ１４を介して上方に流れ、第２の個別エアアウトレット２５を介して出ることにより、第２のベイ１４に取り付けられる任意の機器の大幅な冷却を提供する。それぞれの個別エアアウトレット２４、２５を通って第１及び第２のベイ１２、１４を出る空気は、空間エアアウトレット１８を介して街路照明ポールを出ることができる。
【００３６】
図４は、本発明の一態様による街路照明ポール１の側面図である。街路照明ポール１は、ポールベース６、中間ポール１０２、アンテナ１０４、及び光を発するように構成される照明器具１０６含むモジュール構造とみなされることができる。
【００３７】
当業者は、本発明が決して上記の好ましい実施形態に限定されるものではないことを認識する。それどころか、多くの修正及び変形が、添付の特許請求の範囲内で可能である。例えば、街路照明ポール１は、第１のエアフロー２６及び第２のエアフロー２７のうちの少なくとも１つを調節するように構成される少なくとも１つの可動部を含んでもよい。
【００３８】
さらに、図面、本開示、及び添付の請求項の検討によって、開示される実施形態に対する変形形態が、当業者により理解されることができ、また、特許請求される発明を実施する際に実行されることができる。請求項では、単語「含む（comprising）」は、他の要素又はステップを排除するものではなく、不定冠詞「１つの（a）」又は「１つの（an）」は、複数を排除するものではない。特定の手段が、互いに異なる従属請求項内に列挙されているという単なる事実は、これらの手段の組み合わせが、有利に使用され得ないことを示すものではない。
【図１ａ】
2021528829.tif 000003
【図１ｂ】
2021528829.tif 000004
【図２】
2021528829.tif 000005
【図３】
2021528829.tif 000006
【図４】
2021528829.tif 000007
【国際調査報告】
2021528829.tif 000008
2021528829.tif 000009
2021528829.tif 000010